(57)【要約】  本発明は、Ｕ字形断面を有するブラケットスリーブ５であって、プラグイン接続部７によってブラケットスリーブの側方リム５ａの内面で接続される少なくとも１つのブラケットアダプタ６を有するブラケットスリーブに関する。プラグイン接続部の各々は実質的に、側方リムに設けられたポケット８と、このポケットに挿入することができかつブラケットスリーブの長手延び方向に対し垂直に延びる、ブラケットアダプタにある舌状部９とから構成され、舌状部の各々は凹部１０の領域に位置し、各凹部には舌状部の挿入方向に対し垂直に延びる止め部１０ａが設けられ、止め部はポケットの第１側方境界リブ８ａに当接着座し、各凹部は固定ローブ１０ｂを有し、固定ローブはポケットの第２の側方境界リブ８ｂを係合するようにそれに載置され、それによって舌状部がポケットから引き出されないように固定される。【選択図】  図４
2013508044.tif 000002
【特許請求の範囲】
【請求項１】
Ｕ字形断面または略Ｕ字形断面を有するフレームスリーブ（５）であって、
複数のプラグイン接続部（７）によって当該フレームスリーブの側方リム（５ａ）の内面で当該フレームスリーブ（５）に接続される少なくとも１つのフレームアダプタ（６）を有し、
前記プラグイン接続部（７）が、前記側方リム（５ａ）に設けられたポケット（８）と、前記ポケット（８）内に挿入することができ、かつ前記フレームスリーブ（５）の長手延長方向に対して垂直に延びる、前記フレームアダプタ（６）上の舌状部（９）とから実質的に構成され、
複数の前記舌状部（９）がそれぞれ対応の凹部（１０）の領域に配置される、フレームスリーブ（５）において、
前記凹部（１０）の全てに、前記舌状部（９）の挿入方向に対し垂直に延びる止め部（１０ａ）が設けられ、前記止め部が前記ポケット（８）の第１の境界リブ（８ａ）に載置され、かつ前記凹部（１０）の各々が、前記ポケット（８）の第２の境界リブ（８ｂ）に載置されてその背後に係合される固定ローブ（１０ｂ）を有し、前記舌状部（９）が前記ポケット（８）から引き出されないように固定されるようになっていることを特徴とする、フレームスリーブ。
【請求項２】
前記ポケット（８）の各々の前記第２の境界リブ（８ｂ）が、該ポケットを越えて固定位置まで前記固定ローブ（１０ｂ）を移動させるためのガイドを形成することを特徴とする、請求項１に記載のフレームスリーブ。
【請求項３】
前記第２の境界リブ（８ｂ）が前記舌状部（９）の挿入方向に対して斜めに延び、かつ前記フレームスリーブ（５）の前記側方リム（５ａ）の面に対して傾斜して延びることを特徴とする、請求項２に記載のフレームスリーブ。
【請求項４】
前記舌状部（９）が挿入開口（８ｅ）を介して前記ポケット（８）内に挿入することができることを特徴とする、請求項１〜３のいずれか一項に記載のフレームスリーブ。
【請求項５】
前記挿入開口（８ｅ）の幅が前記舌状部（９）の幅と一致することを特徴とする、請求項４に記載のフレームスリーブ。
【請求項６】
前記第１の境界リブ（８ａ）の底端領域に切欠き（８ｃ）が設けられ、それによって前記止め部（１０ａ）のための止め面（８ｄ）が前記第１の境界リブ（８ａ）の底端に露出することを特徴とする、請求項１〜５のいずれか一項に記載のフレームスリーブ。
【請求項７】
前記プラグイン接続部（７）に加えて、前記フレームアダプタ（６）が前記フレームスリーブ（５）に対して物質接合、連結、および／または形状一致型嵌合方式で固定されることを特徴とする、請求項１〜６のいずれか一項に記載のフレームスリーブ。
【請求項８】
複数の前記ポケット（８）が、前記フレームスリーブ（５）の前記側方リム（５ａ）の境界縁（５ｃ）に対して折返し帯状体（５ｂ）の領域に設けられることを特徴とする、請求項１〜７のいずれか一項に記載のフレームスリーブ。
【請求項９】
複数の前記ポケット（８）が、前記フレームスリーブ（５）の前記境界縁（５ｃ）と平行に延びかつ前記側方リム（５ａ）に接続された別個独立の帯状体（５ｂ）の領域に設けられることを特徴とする、請求項１〜７のいずれか一項に記載のフレームスリーブ。
【請求項１０】
前記フレームスリーブ（５）および／または前記フレームアダプタ（６）が金属またはプラスチックから構成される薄板から作製されることを特徴とする、請求項１〜９のいずれか一項に記載のフレームスリーブ。
【請求項１１】
装着状態で前記舌状部（９）の自由端（９ｂ）が前記側方リム（５ａ）の内面に載置されるように、全ての前記舌状部（９）に、前記材料帯（５ｂ）の材料厚さに一致する折曲部分（９ａ）が設けられることを特徴とする、請求項１〜１０のいずれか一項に記載のフレームスリーブ。
【請求項１２】
前記固定ローブ（１０ｂ）から始まる前記凹部（１０）の境界縁（１０ｃ）が、前記ポケット（８）の前記第２の境界リブ（８ｂ）と平行または略平行に延びることを特徴とする、請求項１〜１１のいずれか一項に記載のフレームスリーブ。
【発明の詳細な説明】
【技術分野】
【０００１】
本発明は、Ｕ字形の断面または略Ｕ字形の断面を有するフレームスリーブであって、複数のプラグイン接続部によって該フレームスリーブの側方リムの内面で該フレームスリーブに接続される少なくとも１つのフレームアダプタを有するフレームスリーブに関する。プラグイン接続部は、側方リムに設けられたポケットと、フレームスリーブの長手方向延長に対して垂直に延び、前記ポケット内に挿入することのできる、フレームアダプタにある舌状部とから構成される。複数の舌状部はそれぞれ対応の凹部の領域内に配置される。
【背景技術】
【０００２】
この種の少なくとも１つのフレームアダプタを有するフレームスリーブは公知である。
【０００３】
フレームスリーブにおける１つのまたは複数のフレームアダプタは、引出しのフレームスリーブを例えば引出しガイドの走行レールと結合するための接続部または末端部を形成し、さらに、高さ調整装置、自動引戻し装置、ダンパ等のような追加機能部を収容するのにも供せられる。
【０００４】
装着の簡素化は一般的に、フレームアダプタをプラグイン接続部によってフレームスリーブと接続することによって達成される。
【０００５】
現在公知の構造では、それぞれのフレームアダプタの挿入方向とは反対の動きを防止し、それによってフレームスリーブからのフレームアダプタの離脱を防止するために、舌状部を挿入する目的で設けられたポケット内に舌状部を完全に挿入した後で、フレームスリーブに対する舌状部の挿入方向に対して垂直にフレームアダプタをもう一度変位させる必要がある。
【０００６】
この追加的固定動作は、その都度フレームスリーブに対するフレームアダプタの２回目の動きを実行しなければならないので、最終消費者による手動組立てにとって、また製造者による機械的装着においても不利である。
【発明の概要】
【発明が解決しようとする課題】
【０００７】
本発明は、フレームスリーブに対するフレームアダプタの固定を簡素化するという目的に基づくものである。
【課題を解決するための手段】
【０００８】
この目的は、本発明に従って、全ての凹部に舌状部の挿入方向に対し垂直に延びる止め部を設け、舌状部がポケットから引き出されないように舌状部を固定するために、止め部がポケットの第１の側方境界リブに載置され、各凹部が、ポケットの第２の側方境界リブに載置されてその背後を係合する固定ローブ（ｓｅｃｕｒｉｎｇ  ｌｏｂｅ）を有するような方法で、達成される。
【０００９】
この構造は、フレームアダプタが一接合方向のみにフレームスリーブと接続することとを可能にし、それぞれの固定ローブをポケットの縁部領域の外側でその固定位置まで移動させるために、フレームアダプタおよび任意選択的にフレームスリーブの材料の弾性能力を利用する。したがって、舌状部をポケット内に挿入中に、それぞれの固定ローブは伸張したポケットのそれぞれの縁部領域上を案内され、したがってわずかに持ち上げられる。ひとたびそれぞれの固定ローブがそれぞれのポケットの縁部領域上を移動し終わると、固定ローブは、弾性復元力によって再びその元の面に戻るように案内され、次いでポケットの第２の境界リブの背後に係合することによって第２の境界リブに載置される。その結果、フレームアダプタは、フレームスリーブに対して変位しないように、３つの全座標方向に固定される。舌状部は上部領域に、直角折曲部を備えることが有利である。それは、接合後にフレームスリーブの内側に載置され、傾動を防止するように働く。全ての固定手段はフレームスリーブの内側に配置し、したがって外側から見えず、したがってフレームスリーブの外観を損なうことがあり得ないようにすることが有利である。
【００１０】
フレームスリーブに対するフレームアダプタの追加的固定は、装着後に、物質接合、連結、および／または形状一致型の嵌合方式で、例えば接着、圧搾、または溶接によって、行なうことができる。選択された種類の接続の結果、フレームスリーブからのフレームアダプタの分離はもはや不可能であるので、追加的固定は必須ではない。しかし、上で説明した通り、接続領域に起因する遊びからフレームアダプタとフレームスリーブとの間の相対的動きが発生することができず、潜在的に平穏を乱す雑音を回避することができるので、追加的固定は有利である。
【００１１】
それは、各ポケットの第２の境界リブが、固定ローブをポケットを越えて固定位置に移動させるためのガイドを形成する場合に、特に有利である。
【００１２】
第２の境界リブが舌状部の挿入方向に対し斜めに延び、かつフレームスリーブの側方リムの面に対し傾斜して延びる実施形態が好ましい。ガイドとして使用される凹部の境界縁をフレームアダプタの凹部内に設けることができ、凹部内に舌状部も配置することができ、該境界縁は接合プロセス中に第２の境界リブに沿って移動し、一方では接合プロセス中の摩擦力の低減の結果、固定ローブのわずかな上昇を生じ、他方では特定の距離後にポケットに対する舌状部の位置決めを支持する。
【００１３】
さらなる挿入動作の結果、それぞれの固定ローブは、その元の位置から徐々に上昇するように持ち上げられ、固定ローブがポケットを通過した後その元の面に跳ね返ることができるまで、ポケットの外側を案内される。
【００１４】
この摺動上昇の結果、フレームスリーブおよび／またはフレームアダプタの領域における表面の損傷が防止されるので、必要ならば、２つの構成要素の接合によって表面処理を損傷することなく、接合前に、両方の構成要素を表面処理することができる。
【００１５】
本発明のさらなる特徴は、さらなる従属請求項の対象である。
【００１６】
本発明の実施形態を添付の図面に示し、以下でさらに詳しく説明する。
【図面の簡単な説明】
【００１７】
【図１】本発明に係る２つのフレームスリーブを有する引出しの斜視図である。
【図２】図１に係る引出しの矢印IIの方向の図である。
【図３】図２の線III−IIIに沿った断面図である。
【図４】フレームスリーブおよびそれに接続することのできるフレームアダプタの両構成要素の接合前の簡易斜視図である。
【図５】フレームスリーブおよびフレームアダプタの組立て後の図４に係る斜視図である。
【図６】図５の線VI−VIに沿った部分断面図である。
【図７】フレームスリーブとフレームアダプタとの間の接続領域の拡大斜視図である。
【図８】図４において参照番号VIIIで指定された細部の拡大図である。
【図９】図４において参照番号IXで指定された細部の拡大図である。
【発明を実施するための形態】
【００１８】
図１は、前面パネル２、後壁３、および２つの側面パネル４を備える全体を参照符号１で表した引出しを示しており、側面パネルはそれぞれ公知の方法で、図３により詳細に示す通り、少なくとも１つのフレームアダプタ６を有するフレームスリーブ５または側面パネルケアリング（ｃａｒｉｎｇ）５から構成されている。
【００１９】
フレームスリーブ５は略Ｕ字形の断面を有する。少なくとも１つのフレームアダプタ６は、全体を参照符号７で示す少なくとも２つのプラグイン接続部によって、フレームスリーブに接続される（特に図５参照）。
【００２０】
プラグイン接続部７は、フレームスリーブ５の側方リム５ａに形成されたポケット８と、フレームアダプタ６にあるポケット９とによって実質的に形成され、フレームスリーブ５の延長長手方向に対して垂直に延びる方向にポケット８内に挿入可能である舌状部９を有している。
【００２１】
フレームアダプタ６の舌状部９はそれぞれ、好ましくは打抜き加工によって形成される凹部１０の領域に配置される。
【００２２】
フレームスリーブ５の側方リム５ａのポケット８は、折返し帯状体５ｂの領域に配置され、前記折返し帯状体５ｂから突出する。ポケット８は、舌状部９の材料厚さにキャビティが側方リム５ａに向かって形成される程度に打ち出される。したがって、フレームスリーブ５の側方リム５ａに対するフレームアダプタ６の、側方リム５ａの面に対する垂直方向の固定は、ポケット８内に係合する舌状部９によって達成される。
【００２３】
特に図７および図９に示す通り、舌状部９は、その前面領域に帯状体５ｂの厚さに略一致する折曲部分９ａが設けられる。その結果、舌状部９が挿入されたときに、舌状部９の自由端９ｂは、フレームスリーブ５の側方リム５ａの内側に載置され、したがって側方リム５ａの方向のフレームアダプタ６の潜在的傾動が防止される。
【００２４】
ポケット８にはそれぞれ、第１の境界リブ８ａおよび第２の境界リブ８ｂが設けられる。第１の境界リブ８ａは側方リム５ａの底部境界縁５ｃに対し垂直に延びる一方、それぞれのポケット８の第２の境界リブ８ｂは底部境界縁５ｃに対して斜めに延びる。ポケット８内への舌状部９の挿入方向も側方リム５ａの下部境界縁５ｃに対し垂直に延びるので、ポケット８の第１の境界リブ８ａは挿入方向と平行に延び、ポケット８の第２の境界リブ８ｂは挿入方向に対し斜めに延びることともいえる。
【００２５】
第１の境界リブ８の領域に切欠き８ｃが設けられ、それは第１の境界リブ８ａの底端に止め面８ｄを形成する。
【００２６】
フレームアダプタ６の凹部１０の領域に止め部１０ａが設けられ、該止め部は、舌状部９の挿入方向に対し垂直に延び、かつそれは、舌状部９をポケット８内に完全に挿入した後、ポケット８の第１の境界リブ８ａの止め面８ｄ上に載置された状態になる。
【００２７】
さらに固定ローブ１０ｂがフレームアダプタ６の凹部１０の領域に設けられる。前記固定ローブ１０ｂは、挿入方向に対して斜めに延びかつフレームスリーブ５の側方リム５ａの面に対して傾斜して延びる第２の境界リブ８ｂを介して、ポケット８上を案内され、前記固定ローブ１０ｂが第２の境界リブ８ｂの案内領域から出るまで、元の面から少し持ち上げられる。この位置で、固定ローブ１０ｂは材料の弾性復元力によってフレームスリーブ５の側方リム５ａの方向に動き、それぞれのポケット８の背後を係合する。フレームアダプタ６の舌状部９およびしたがって明らかにフレームアダプタ６全体も、フレームスリーブ５から不用意に解放されないように固定される。
【００２８】
固定ローブ１０ｂの領域に隣接する境界縁１０ｃおよび１０ｄは、ポケットの境界リブ８ｂに略平行に延びる。すなわち、前記境界縁１０ｃおよび１０ｄは、フレームアダプタ６の挿入方向に対して、上述した境界リブ８ｂと同じ方向に、斜めに延びる。特に、凹部１０の上部境界縁１０ｃの傾斜配置の結果、固定ローブ１０ｂの領域には、ポケット８を越えて押し込むことを可能にするために充分な弾性能力がもたらされる。
【００２９】
フレームアダプタ６およびフレームスリーブ５の組立て後に上述した構造によってフレームアダプタ６がフレームスリーブ５に対して３つの全座標方向に固定されるように、舌状部９の幅は、ポケット８の挿入開口８ｅの幅と一致する。
【００３０】
これは、１つの接合方向のみを考慮して実行するだけでよいので、ＤＩＹ愛好家にとっても、また機械的製造の場合にも、フレームアダプタ６およびフレームスリーブ５の単純な装着を導く。
【００３１】
図示した実施形態とは別に、ポケット８が打抜に加工される折返し帯状体５ｂを、側方リム５に溶接されるかまたは別の方法で固定される別個の帯状体に置き換えることもできる。
【００３２】
フレームスリーブ５およびフレームアダプタ６は薄板金から作製することが好ましい。また、フレームスリーブ５および／またはフレームアダプタ６をプラスチックから作製することも可能である。
【００３３】
最後に、接合方向は所定の一方向だけであるにもかかわらず、フレームスリーブ５に対するフレームアダプタ６のあらゆる側の固定について、再度説明しておく。
【００３４】
フレームアダプタ６の側方リム５ａに対し垂直方向の固定は、舌状部９をポケット８内に挿入することによって行なわれる。止め部１０ａおよび止め面８ｄによって、挿入方向の停止限界がもたらされる。フレームスリーブ５の長手方向延長に対し垂直方向のフレームアダプタ６の変位は、挿入開口８ｅおよび舌状部９が同一幅であることによって防止され、接合後のフレームアダプタ６の引戻しは、上側をポケット８の背後に係合される固定ローブ１０ｂによって防止される。
【００３５】
製造上の理由から接続システム全体に特定の量の遊びが残る場合、かつこの遊びが望ましくない場合、製造によって生じた遊びを取り除くための追加的処置を講じることができる。例えば、フレームスリーブ５とフレームアダプタ６との間を接着剤で接着することができ、あるいは溶接または圧搾を行なうことができるが、それらは支持機能を提供する必要がない。
【符号の説明】
【００３６】
１…引出し、２…前面パネル、３…後壁、４…側面パネル、５…フレームスリーブ、５ａ…側方リム、５ｂ…帯状体、５ｃ…境界縁、６…フレームアダプタ、７…プラグイン接続部、８…ポケット、８ａ…境界リブ、８ｂ…境界リブ、８ｃ…切欠き、８ｄ…止め面、８ｅ…挿入開口、９…舌状部、９ａ…折曲部分、９ｂ…自由端、１０…凹部、１０ａ…止め部、１０ｂ…固定ローブ、１０ｃ…境界縁、１０ｄ…境界縁
【図１】
2013508044.tif 000003
【図２】
2013508044.tif 000004
【図３】
2013508044.tif 000005
【図４】
2013508044.tif 000006
【図５】
2013508044.tif 000007
【図６】
2013508044.tif 000008
【図７】
2013508044.tif 000009
【図８】
2013508044.tif 000010
【図９】
2013508044.tif 000011
【国際調査報告】
2013508044.tif 000012
2013508044.tif 000013
2013508044.tif 000014
2013508044.tif 000015